(57)【要約】【課題】フリッカーを低減した表示装置を提供する。【解決手段】表示パネル（液晶パネル２）と、各々が、表示パネルの裏面に向けて光を間欠的に出射し、表示パネルの副走査方向に隣接して配置される直下型の第１バックライト１０Ａ及び直下型の第２バックライト１０Ｂとを備え、表示パネルの表示領域は、第１バックライト１０Ａに対向する位置に設けられた第１領域１６Ａ及び第２バックライト１０Ｂに対向する位置に設けられた第２領域１６Ｂを含み、第１バックライト１０Ａは、第１バックライト１０Ａから出射する光が第１領域１６Ａ及び第２領域１６Ｂに到達する位置に配置され、第２バックライト１０Ｂは、第２バックライト１０Ｂから出射する光が第１領域１６Ａ及び第２領域１６Ｂに到達する位置に配置される。【選択図】図２
2014207142.tif 000002
【特許請求の範囲】
【請求項１】
表示パネルと、
各々が、前記表示パネルの裏面に向けて光を間欠的に出射し、前記表示パネルの副走査方向に隣接して配置される直下型の第１バックライト及び直下型の第２バックライトとを備え、
前記表示パネルの表示領域は、前記第１バックライトに対向する位置に設けられた第１領域及び前記第２バックライトに対向する位置に設けられた第２領域を含み、
前記第１バックライトは、前記第１バックライトから出射する光が前記第１領域及び前記第２領域に到達する位置に配置され、
前記第２バックライトは、前記第２バックライトから出射する光が前記第１領域及び前記第２領域に到達する位置に配置される
表示装置。
【請求項２】
前記第１バックライトは、前記第１バックライトから出射する光のうち、光強度がピークとなる方向への直進光である第１ピーク光が前記第２領域に到達する位置に配置され、
前記第２バックライトは、前記第２バックライトから出射する光のうち、光強度がピークとなる方向への直進光である第２ピーク光が前記第１領域に到達する位置に配置される
請求項１に記載の表示装置。
【請求項３】
前記第１バックライトは、前記第１ピーク光が取り得る出射方向の範囲のうち、前記第１バックライトの光軸に最も近い出射方向である第１方向に直進する前記第１ピーク光、又は前記第１バックライトの前記光軸から最も遠い出射方向である第２方向に直進する前記第１ピーク光が前記第２領域に到達する位置に配置され、
前記第２バックライトは、前記第２ピーク光が取り得る出射方向の範囲のうち、前記第２バックライトの光軸に最も近い出射方向である第３方向に直進する前記第２ピーク光、又は前記第２バックライトの前記光軸から最も遠い出射方向である第４方向に直進する前記第２ピーク光が前記第１領域に到達する位置に配置される
請求項２に記載の表示装置。
【請求項４】
前記第１バックライトは、前記第１方向に直進する前記第１ピーク光が、前記第２領域の前記第１領域から最も離れた端部に到達するときの前記第１バックライトの配置位置と、前記第２方向に直進する前記第１ピーク光が、前記第１領域と前記第２領域との境界に到達するときの前記第１バックライトの配置位置との間の位置に配置される
請求項３に記載の表示装置。
【請求項５】
前記第２バックライトは、前記第３方向に直進する前記第２ピーク光が、前記第１領域の前記第２領域から最も離れた端部に到達するときの前記第２バックライトの配置位置と、前記第４方向に直進する前記第２ピーク光が、前記第１領域と前記第２領域との境界に到達するときの前記第２バックライトの配置位置との間の位置に配置される
請求項３又は４に記載の表示装置。
【請求項６】
さらに、
前記第１バックライト及び前記第２バックライトの一方が点灯している間は、他方が消灯するように、前記表示パネルへの画像の書き込みに同期させて、前記第１バックライト及び前記第２バックライトを交互に点灯させる駆動部を備える
請求項１〜５のいずれか１項に記載の表示装置。
【請求項７】
前記第１バックライト及び前記第２バックライトの各々は、前記表示パネルの副走査方向に配列された第１ＬＥＤ群及び第２ＬＥＤ群を含み、
前記第１ＬＥＤ群及び前記第２ＬＥＤ群の各々は、前記表示パネルの主走査方向に配列された少なくとも１つのＬＥＤを含み、
前記第１バックライトは、前記表示パネルの副走査方向における、前記第１バックライトに含まれる前記第１ＬＥＤ群及び前記第２ＬＥＤ群の中間位置に第１ＬＥＤが配置されていると仮定したときに、前記第１ＬＥＤから出射する光が前記第１領域及び前記第２領域に到達する位置に配置され、
前記第２バックライトは、前記表示パネルの副走査方向における、前記第２バックライトに含まれる前記第１ＬＥＤ群及び前記第２ＬＥＤ群の中間位置に第２ＬＥＤが配置されていると仮定したときに、前記第２ＬＥＤから出射する光が前記第１領域及び前記第２領域に到達する位置に配置される
請求項１〜６のいずれか１項に記載の表示装置。
【請求項８】
さらに、
前記表示パネルの裏面に向けて光を間欠的に出射する直下型の第３バックライトを備え、
前記第１バックライト、前記第２バックライト及び前記第３バックライトは、前記第１バックライト、前記第２バックライト及び前記第３バックライトの順で、前記表示パネルの副走査方向に隣接して配置され、
前記表示パネルの表示領域は、さらに、前記第３バックライトに対向する位置に設けられた第３領域を含み、
前記第２バックライトは、前記第２バックライトから出射する光が前記第１領域、前記第２領域及び前記第３領域に到達する位置に配置され、
前記第３バックライトは、前記第３バックライトから出射する光が前記第２領域及び前記第３領域に到達する位置に配置される
請求項３〜５のいずれか１項に記載の表示装置。
【請求項９】
前記第２バックライトは、さらに、前記第２ピーク光が前記第３領域に到達する位置に配置され、
前記第３バックライトは、前記第３バックライトから出射する光のうち、光強度がピークとなる方向への直進光である第３ピーク光が前記第２領域に到達する位置に配置される
請求項８に記載の表示装置。
【請求項１０】
前記第２バックライトは、さらに、前記第３方向に直進する前記第２ピーク光、又は前記第４方向に直進する前記第２ピーク光が前記第３領域に到達する位置に配置され、
前記第３バックライトは、前記第３ピーク光が取り得る出射方向の範囲のうち、前記第３バックライトの光軸に最も近い出射方向である第５方向に直進する第３ピーク光、又は前記第３バックライトの前記光軸から最も遠い出射方向である第６方向に直進する前記第３ピーク光が前記第２領域に到達する位置に配置される
請求項９に記載の表示装置。
【請求項１１】
前記第２バックライトは、前記第３方向に直進する前記第２ピーク光が、前記第３領域の前記第２領域から最も離れた端部に到達するときの前記第２バックライトの配置位置と、前記第４方向に直進する前記第２ピーク光が、前記第２領域と前記第３領域との境界に到達するときの前記第２バックライトの配置位置との間の位置に配置される
請求項１０に記載の表示装置。
【請求項１２】
前記第３バックライトは、前記第５方向に直進する前記第３ピーク光が、前記第２領域の前記第３領域から最も離れた端部に到達するときの前記第３バックライトの配置位置と、前記第６方向に直進する前記第３ピーク光が、前記第２領域と前記第３領域との境界に到達するときの前記第３バックライトの配置位置との間の位置に配置される
請求項１０又は１１に記載の表示装置。
【請求項１３】
さらに、
前記第１バックライト、前記第２バックライト及び前記第３バックライトのいずれか１つが点灯している間は、他の２つが消灯するように、前記表示パネルへの画像の書き込みに同期させて、前記第１バックライト、前記第２バックライト及び前記第３バックライトを交互に点灯させる駆動部を備える
請求項８〜１２のいずれか１項に記載の表示装置。
【発明の詳細な説明】
【技術分野】
【０００１】
本発明は、表示装置に関し、特に、表示パネルの背面に光を照射するバックライトを備える表示装置に関する。
【背景技術】
【０００２】
従来、液晶パネルへの画像の書き込みに同期させながら、複数のバックライトを切り替えながら間欠点灯させる液晶表示装置が知られている（例えば、特許文献１参照）。
【０００３】
このように複数のバックライトを間欠点灯することで、前フレームの映像が残像として残る、いわゆる動画ぼけを防ぐことができる。
【先行技術文献】
【特許文献】
【０００４】
【特許文献１】特開２００２−２３１０３４号公報
【発明の概要】
【発明が解決しようとする課題】
【０００５】
しかしながら、従来の液晶表示装置によると、複数のバックライトを間欠点灯させていることにより、各バックライトの照射光を低周波、例えばフレームレートに対応した６０Ｈｚで位相制御すると、フリッカーが目立つという課題がある。
【０００６】
本発明は、上述の課題を解決するためになされたものであり、フリッカーを低減した表示装置を提供することを目的とする。
【課題を解決するための手段】
【０００７】
上記目的を達成するために、本発明の一態様に係る表示装置は、表示パネルと、各々が、前記表示パネルの裏面に向けて光を間欠的に出射し、前記表示パネルの副走査方向に隣接して配置される直下型の第１バックライト及び直下型の第２バックライトとを備え、前記表示パネルの表示領域は、前記第１バックライトに対向する位置に設けられた第１領域及び前記第２バックライトに対向する位置に設けられた第２領域を含み、前記第１バックライトは、前記第１バックライトから出射する光が前記第１領域及び前記第２領域に到達する位置に配置され、前記第２バックライトは、前記第２バックライトから出射する光が前記第１領域及び前記第２領域に到達する位置に配置される。
【０００８】
この構成によると、第１バックライトから出射する光は、第１領域のみならず第２領域にも到達する。また、第２バックライトから出射する光は、第２領域のみならず第１領域にも到達する。このため、各領域には、各バックライトの間欠動作の周波数の２倍の周波数の光が到達する。このため、フリッカーを低減することができる。
【０００９】
例えば、前記第１バックライトは、前記第１バックライトから出射する光のうち、光強度がピークとなる方向への直進光である第１ピーク光が前記第２領域に到達する位置に配置され、前記第２バックライトは、前記第２バックライトから出射する光のうち、光強度がピークとなる方向への直進光である第２ピーク光が前記第１領域に到達する位置に配置されていても良い。
【００１０】
各バックライトは、光軸方向からずれた方向に出射光のピークが来るように設計されている。このため、第１ピーク光が第２領域に到達する位置に第１バックライトを配置することにより、第１バックライトの出射光を、第１領域及び第２領域に導くことができる。第２バックライトについても同様に配置することで、第２バックライトの出射光を、第１領域及び第２領域に導くことができる。
【００１１】
また、前記第１バックライトは、前記第１ピーク光が取り得る出射方向の範囲のうち、前記第１バックライトの光軸に最も近い出射方向である第１方向に直進する前記第１ピーク光、又は前記第１バックライトの前記光軸から最も遠い出射方向である第２方向に直進する前記第１ピーク光が前記第２領域に到達する位置に配置され、前記第２バックライトは、前記第２ピーク光が取り得る出射方向の範囲のうち、前記第２バックライトの光軸に最も近い出射方向である第３方向に直進する前記第２ピーク光、又は前記第２バックライトの前記光軸から最も遠い出射方向である第４方向に直進する前記第２ピーク光が前記第１領域に到達する位置に配置されていても良い。
【００１２】
バックライトから出射するピーク光の出射方向には一定の幅がある。このため、上述の位置に第１バックライト及び第２バックライトを配置することにより、第１バックライトの出射光及び第２バックライトの出射光の各々を、第１領域及び第２領域に導くことができる。
【００１３】
具体的には、前記第１バックライトは、前記第１方向に直進する前記第１ピーク光が、前記第２領域の前記第１領域から最も離れた端部に到達するときの前記第１バックライトの配置位置と、前記第２方向に直進する前記第１ピーク光が、前記第１領域と前記第２領域との境界に到達するときの前記第１バックライトの配置位置との間の位置に配置されていても良い。
【００１４】
このような位置に第１バックライトを配置することにより、第１バックライトの出射光を、第１領域及び第２領域に導くことができる。
【００１５】
また、前記第２バックライトは、前記第３方向に直進する前記第２ピーク光が、前記第１領域の前記第２領域から最も離れた端部に到達するときの前記第２バックライトの配置位置と、前記第４方向に直進する前記第２ピーク光が、前記第１領域と前記第２領域との境界に到達するときの前記第２バックライトの配置位置との間の位置に配置されていても良い。
【００１６】
このような位置に第２バックライトを配置することにより、第２バックライトの出射光を、第１領域及び第２領域に導くことができる。
【００１７】
また、上述の表示装置は、さらに、前記第１バックライト及び前記第２バックライトの一方が点灯している間は、他方が消灯するように、前記表示パネルへの画像の書き込みに同期させて、前記第１バックライト及び前記第２バックライトを交互に点灯させる駆動部を備えていても良い。
【００１８】
これにより、表示パネルへの画像の書き込みに同期させて、第１バックライト及び第２バックライトを間欠点灯させることができる。
【００１９】
また、前記第１バックライト及び前記第２バックライトの各々は、前記表示パネルの副走査方向に配列された第１ＬＥＤ群及び第２ＬＥＤ群を含み、前記第１ＬＥＤ群及び前記第２ＬＥＤ群の各々は、前記表示パネルの主走査方向に配列された少なくとも１つのＬＥＤを含み、前記第１バックライトは、前記表示パネルの副走査方向における、前記第１バックライトに含まれる前記第１ＬＥＤ群及び前記第２ＬＥＤ群の中間位置に第１ＬＥＤが配置されていると仮定したときに、前記第１ＬＥＤから出射する光が前記第１領域及び前記第２領域に到達する位置に配置され、前記第２バックライトは、前記表示パネルの副走査方向における、前記第２バックライトに含まれる前記第１ＬＥＤ群及び前記第２ＬＥＤ群の中間位置に第２ＬＥＤが配置されていると仮定したときに、前記第２ＬＥＤから出射する光が前記第１領域及び前記第２領域に到達する位置に配置されていても良い。
【００２０】
これにより、各バックライトにおいて、ＬＥＤ間で副走査方向の位置が揃っていなくても、バックライトの配置位置を決定することができる。
【００２１】
また、上述の表示装置は、さらに、前記表示パネルの裏面に向けて光を間欠的に出射する直下型の第３バックライトを備え、前記第１バックライト、前記第２バックライト及び前記第３バックライトは、前記第１バックライト、前記第２バックライト及び前記第３バックライトの順で、前記表示パネルの副走査方向に隣接して配置され、前記表示パネルの表示領域は、さらに、前記第３バックライトに対向する位置に設けられた第３領域を含み、前記第２バックライトは、前記第２バックライトから出射する光が前記第１領域、前記第２領域及び前記第３領域に到達する位置に配置され、前記第３バックライトは、前記第３バックライトから出射する光が前記第２領域及び前記第３領域に到達する位置に配置されていても良い。
【００２２】
この構成によると、第２バックライトから出射する光は、第２領域のみならず第１領域及び第３領域にも到達する。また、第３バックライトから出射する光は、第３領域のみならず第２領域にも到達する。各領域には、各バックライトの間欠動作の周波数の３倍の周波数の光が到達する。このため、フリッカーを低減することができる。
【００２３】
また、前記第２バックライトは、さらに、前記第２ピーク光が前記第３領域に到達する位置に配置され、前記第３バックライトは、前記第３バックライトから出射する光のうち、光強度がピークとなる方向への直進光である第３ピーク光が前記第２領域に到達する位置に配置されていても良い。
【００２４】
各バックライトは、光軸方向からずれた方向に出射光のピークが来るように設計されている。このため、第２ピーク光が第３領域に到達する位置に第２バックライトを配置することにより、第２バックライトの出射光を、第２領域及び第３領域に導くことができる。また、第３ピーク光が第２領域に到達する位置に第３バックライトを配置することにより、第３バックライトの出射光を、第２領域及び第３領域に導くことができる。
【００２５】
また、前記第２バックライトは、さらに、前記第３方向に直進する前記第２ピーク光、又は前記第４方向に直進する前記第２ピーク光が前記第３領域に到達する位置に配置され、前記第３バックライトは、前記第３ピーク光が取り得る出射方向の範囲のうち、前記第３バックライトの光軸に最も近い出射方向である第５方向に直進する第３ピーク光、又は前記第３バックライトの前記光軸から最も遠い出射方向である第６方向に直進する前記第３ピーク光が前記第２領域に到達する位置に配置されていても良い。
【００２６】
バックライトから出射するピーク光の出射方向には一定の幅がある。このため、上述の位置に第２バックライト及び第３バックライトを配置することにより、第２バックライトの出射光及び第３バックライトの出射光の各々を、第２領域及び第３領域に導くことができる。
【００２７】
具体的には、前記第２バックライトは、前記第３方向に直進する前記第２ピーク光が、前記第３領域の前記第２領域から最も離れた端部に到達するときの前記第２バックライトの配置位置と、前記第４方向に直進する前記第２ピーク光が、前記第２領域と前記第３領域との境界に到達するときの前記第２バックライトの配置位置との間の位置に配置されていても良い。
【００２８】
このような位置に第２バックライトを配置することにより、第２バックライトの出射光を、第２領域及び第３領域に導くことができる。
【００２９】
また、前記第３バックライトは、前記第５方向に直進する前記第３ピーク光が、前記第２領域の前記第３領域から最も離れた端部に到達するときの前記第３バックライトの配置位置と、前記第６方向に直進する前記第３ピーク光が、前記第２領域と前記第３領域との境界に到達するときの前記第３バックライトの配置位置との間の位置に配置されていても良い。
【００３０】
このような位置に第３バックライトを配置することにより、第３バックライトの出射光を、第２領域及び第３領域に導くことができる。
【００３１】
また、上述の表示装置は、さらに、前記第１バックライト、前記第２バックライト及び前記第３バックライトのいずれか１つが点灯している間は、他の２つが消灯するように、前記表示パネルへの画像の書き込みに同期させて、前記第１バックライト、前記第２バックライト及び前記第３バックライトを交互に点灯させる駆動部を備えていても良い。
【００３２】
これにより、表示パネルへの画像の書き込みに同期させて、第１バックライト、第２バックライト及び第３バックライトを間欠点灯させることができる。
【発明の効果】
【００３３】
本発明によると、フリッカーを低減した表示装置を提供することができる。
【図面の簡単な説明】
【００３４】
【図１】本発明の実施の形態１に係る表示装置の正面図である。
【図２】図１中のＡ−Ａ線により切断した表示装置の要部断面を模式的に示した図である。
【図３】後述の式７を満たす第１バックライトの位置について説明するための図である。
【図４】第２バックライトのｚ方向の配置位置の決定方法について説明するための図である。
【図５】図１中のＡ−Ａ線により切断した表示装置の要部断面を模式的に示した図である。
【図６】実施の形態２に係る表示装置の効果を説明するための図である。
【図７】各バックライトから出射する光が隣接する領域に到達しないとしたときの光の明るさの変化を示す図である。
【図８】３つのバックライトが不均一な間隔で並べて配置された表示装置の一例を示す図である。
【図９】各バックライトのｚ方向の配置位置の一例を模式的に示す図である。
【図１０】変形例２に係るバックライトに含まれるＬＥＤの配置位置を説明するための図である。
【発明を実施するための形態】
【００３５】
以下、本発明の実施の形態について、図面を用いて詳細に説明する。なお、以下で説明する実施の形態は、いずれも本発明の好ましい一具体例を示すものである。以下の実施の形態で示される数値、形状、構成要素、構成要素の配置位置及び接続形態などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００３６】
（実施の形態１）
図１は、本発明の実施の形態１に係る表示装置の正面図である。表示装置１は、前面に表示パネルの一例である液晶パネル２を備えている。
【００３７】
図２は、図１中のＡ−Ａ線により切断した表示装置１の要部断面を模式的に示した図である。
【００３８】
表示装置１の内部の背面側には、液晶パネル２の副走査方向（以下、ｙ方向と呼ぶ）に、各々が直下型の第１バックライト１０Ａ及び第２バックライト１０Ｂが並べて配置される。第１バックライト１０Ａ及び第２バックライト１０Ｂの各々は、基板１１と、複数のＬＥＤ（Ｌｉｇｈｔ  Ｅｍｉｔｔｉｎｇ  Ｄｉｏｄｅ）１２と、複数のレンズ１３とを備える。複数のＬＥＤ１２は、基板１１上に、液晶パネル２の主走査方向（以下、ｘ方向と呼ぶ）に一列に並べて配置される。各レンズ１３は、複数のＬＥＤ１２のいずれかに対応し、当該対応するＬＥＤ１２上に配置される。
【００３９】
基板１１には、電源から各ＬＥＤ１２に電力を供給するための回路が配線されている。各ＬＥＤ１２は、液晶パネル２の裏面に向けて光を出射する。なお、各基板１１は駆動部１５に接続されている。駆動部１５は、第１バックライト１０Ａ及び第２バックライト１０Ｂの一方が点灯している間は、他方が消灯するように、液晶パネル２への画像の書き込みに同期させて、第１バックライト１０Ａ及び第２バックライト１０Ｂを交互に点灯させる。
【００４０】
液晶パネル２は、第１バックライト１０Ａに対向する位置に設けられた第１領域１６Ａと、第２バックライト１０Ｂに対向する位置に設けられた第２領域１６Ｂとを含む。第１領域１６Ａと第２領域１６Ｂとは重複する領域を持たないものとする。液晶パネル２の最上部のｙ方向の座標をｔとし、液晶パネル２の最下部のｙ方向の座標をｂとする。また、第１バックライト１０ＡのＬＥＤ１２の位置と、第２バックライト１０ＢのＬＥＤ１２の位置とのｙ方向における中点の座標をｍとする。このとき、第１領域１６Ａは、ｍ≦ｙ≦ｔを満たす液晶パネル２上の領域であり、第２領域１６Ｂは、ｂ≦ｙ＜ｍを満たす液晶パネル２上の領域である。
【００４１】
本実施の形態では、第１バックライト１０Ａから出射する光が第１領域１６Ａのみならず第２領域１６Ｂに到達するように、第１バックライト１０Ａのｚ方向の配置位置が決定される。また、第２バックライト１０Ｂから出射する光が第２領域１６Ｂのみならず第１領域１６Ａに到達するように第２バックライト１０Ｂのｚ方向の配置位置が決定される。
【００４２】
以下、各バックライトのｚ方向の配置位置の決定方法について説明する。
【００４３】
図２を用いて、第１バックライト１０Ａのｚ方向の配置位置の決定方法について説明する。まず、液晶パネル２の裏面に配置された拡散シート１４と、各ＬＥＤ１２との間のｚ方向の距離をＤとする。また、液晶パネル２のｙ方向の長さをＨとする。また、バックライトの個数をＮとする（図２の場合、Ｎ＝２である）。第１バックライト１０ＡのＬＥＤ１２は、ｙ＝ｍ＋（Ｈ／２Ｎ）の位置に配置されているものとする。
【００４４】
ＬＥＤ１２及びレンズ１３は、ＬＥＤ１２から出射する光の強度のピークが、ＬＥＤ１２の正面ではなく正面から傾いた方向（図２中の角θの方向）に来るように設計されている。これは、ＬＥＤ１２から液晶パネル２までの距離が、液晶パネル２の位置によって異なるため、液晶パネル２の表面に当たる光の強さをできるだけ一様にするためである。なお、光強度のピーク方向θは、以下の式１を満たすように一定の幅を有している。
【００４５】
θ１≦θ≦θ２    …（式１）
【００４６】
ここで、θ１及びθ２は、ＬＥＤ１２の光強度のピーク方向の最小角及び最大角を示す。
【００４７】
式１を変形すると、式２が成り立つ。
【００４８】
ｔａｎθ１＜ｔａｎθ＜ｔａｎθ２    …（式２）
【００４９】
ここで、０＜θ＜π／２である。
【００５０】
一方、作図より、以下の式３及び式４が成り立つ。
【００５１】
ｔａｎθ１＝Ｄ／（３Ｈ／２Ｎ）    …（式３）
ｔａｎθ２＝Ｄ／（Ｈ／２Ｎ）    …（式４）
【００５２】
式３と式４を式２に代入すると、式５が得られる。
【００５３】
Ｄ／（３Ｈ／２Ｎ）＜ｔａｎθ＜Ｄ／（Ｈ／２Ｎ）    …（式５）
【００５４】
式５を式変形すると、式６が得られる。
【００５５】
Ｈｔａｎθ／２Ｎ＜Ｄ＜３Ｈｔａｎθ／２Ｎ    …（式６）
【００５６】
なお、式２の関係が成り立っているので、式６の最左辺のｔａｎθをｔａｎθ１に置き換え、式６の最右辺のｔａｎθをｔａｎθ２に置き換えたとしても、不等号の関係は維持される。つまり、以下の式７が導き出される。
【００５７】
Ｈｔａｎθ１／２Ｎ＜Ｄ＜３Ｈｔａｎθ２／２Ｎ    …（式７）
【００５８】
式７を満たす位置に第１バックライト１０Ａを配置することにより、第１バックライト１０Ａが照射する光が第１領域１６Ａ及び第２領域１６Ｂの双方に到達する。
【００５９】
図３は、式７を満たす第１バックライト１０Ａの位置について説明するための図である。つまり、Ｄ＝Ｈｔａｎθ１／２Ｎとなる第１バックライト１０Ａの位置は、位置３１であり、Ｄ＝３Ｈｔａｎθ２／２Ｎとなる第１バックライト１０Ａの位置は、位置３２である。つまり、第１バックライト１０Ａは、位置３１から位置３２の間に配置すれば良い。
【００６０】
図４は、第２バックライト１０Ｂのｚ方向の配置位置の決定方法について説明するための図である。第２バックライト１０ＢのＬＥＤ１２は、ｙ＝ｍ−（Ｈ／２Ｎ）の位置に配置されているものとする。その他の記号は図２と同様である。
【００６１】
第２バックライト１０ＢのＬＥＤ１２から出射する光の光強度のピーク方向についても、図２に示した第１バックライト１０Ａの場合と同様に、式２が成り立つ。また、作図により、式３及び式４も成り立つ。このため、式２〜式４から式７を導き出すことができる。
【００６２】
つまり、式７を満たす位置に第２バックライト１０Ｂを配置することにより、第２バックライト１０Ｂが照射する光が第１領域１６Ａ及び第２領域１６Ｂの双方に到達する。
【００６３】
以上まとめると、第１バックライト１０Ａは、第１バックライト１０Ａから出射する光のうち、光強度がピークとなる方向への直進光である第１ピーク光が第２領域１６Ｂに到達する位置に配置される。つまり、第１バックライト１０Ａは、第１ピーク光が取り得る出射方向の範囲のうち、第１バックライト１０Ａの光軸に最も近い出射方向である第１方向（角θ２の方向）に直進する第１ピーク光、又は第１バックライト１０Ａの光軸から最も遠い出射方向である第２方向（角θ１の方向）に直進する第１ピーク光が第２領域１６Ｂに到達する位置に配置される。具体的には、第１バックライト１０Ａは、第１方向に直進する第１ピーク光が、第２領域１６Ｂの第１領域１６Ａから最も離れた端部（ｙ＝ｂの位置）に到達するときの第１バックライト１０Ａの配置位置と、第２方向に直進する第１ピーク光が、第１領域１６Ａと第２領域１６Ｂとの境界（ｙ＝ｍの位置）に到達するときの第１バックライト１０Ａの配置位置との間の位置に配置される。
【００６４】
また、第２バックライト１０Ｂは、第２バックライト１０Ｂから出射する光のうち、光強度がピークとなる方向への直進光である第２ピーク光が第１領域１６Ａに到達する位置に配置される。つまり、第２バックライト１０Ｂは、第２ピーク光が取り得る出射方向の範囲のうち、第２バックライト１０Ｂの光軸に最も近い出射方向である第３方向（角θ２の方向）に直進する第２ピーク光、又は第２バックライト１０Ｂの光軸から最も遠い出射方向である第４方向（角θ１の方向）に直進する第２ピーク光が第１領域１６Ａに到達する位置に配置される。具体的には、第２バックライト１０Ｂは、第３方向に直進する第２ピーク光が、第１領域１６Ａの第２領域１６Ｂから最も離れた端部（ｙ＝ｔの位置）に到達するときの第２バックライト１０Ｂの配置位置と、第４方向に直進する第２ピーク光が、第１領域１６Ａと第２領域１６Ｂとの境界（ｙ＝ｍの位置）に到達するときの第２バックライト１０Ｂの配置位置との間の位置に配置される。
【００６５】
以上説明したように、実施の形態１における表示装置１では、式７を満たすｚ方向の位置に第１バックライト１０Ａ及び第２バックライト１０Ｂを配置することにより、各バックライトが照射する光を第１領域１６Ａ及び第２領域１６Ｂに到達させることができる。つまり、第１バックライト１０Ａから出射する光は、第１領域１６Ａのみならず第２領域１６Ｂにも到達する。また、第２バックライト１０Ｂから出射する光は、第２領域１６Ｂのみならず第１領域１６Ａにも到達する。このため、各領域には、各バックライトの間欠動作の周波数の２倍の周波数の光が到達する。このため、フリッカーを低減することができる。
【００６６】
（実施の形態２）
次に、実施の形態２に係る表示装置について説明する。実施の形態２に係る表示装置は、バックライトを３つ備える点が実施の形態１と異なる。
【００６７】
表示装置の外観は、図１に示したとおりである。図５は、図１中のＡ−Ａ線により切断した表示装置１の要部断面を模式的に示した図である。
【００６８】
図５に示した表示装置１とはバックライトの個数が異なる。
【００６９】
表示装置１の内部の背面側には、ｙ方向に、第１バックライト１０Ａ、第２バックライト１０Ｂ及び第３バックライト１０Ｃが並べて配置される。第１バックライト１０Ａ、第２バックライト１０Ｂ及び第３バックライト１０Ｃは、等間隔に並べて配置されている。各バックライトの構成は、実施の形態１と同様である。このため、その詳細な説明はここでは繰り返さない。
【００７０】
なお、各バックライトの各基板１１は駆動部１５に接続されている。駆動部１５は、第１バックライト１０Ａ、第２バックライト１０Ｂ及び第３バックライト１０Ｃのいずれか１つが点灯している間は、他の２つが消灯するように、液晶パネル２への画像の書き込みに同期させて、第１バックライト１０Ａ、第２バックライト１０Ｂ及び第３バックライト１０Ｃを交互に点灯させる。
【００７１】
液晶パネル２は、第１バックライト１０Ａに対向する位置に設けられた第１領域１６Ａと、第２バックライト１０Ｂに対向する位置に設けられた第２領域１６Ｂと、第３バックライト１０Ｃに対向する位置に設けられた第３領域１６Ｃとを含む。各領域は、隣接する領域と重ならないものとする。各領域のｙ方向の幅は、Ｈ／Ｎとする。
【００７２】
本実施の形態では、第１バックライト１０Ａから出射する光が第１領域１６Ａのみならず第２領域１６Ｂに到達するように、第１バックライト１０Ａのｚ方向の配置位置が決定される。また、第２バックライト１０Ｂから出射する光が第２領域１６Ｂのみならず第１領域１６Ａ及び第３領域１６Ｃに到達するように第２バックライト１０Ｂのｚ方向の配置位置が決定される。さらに、第３バックライト１０Ｃから出射する光が第３領域１６Ｃのみならず第２領域１６Ｂに到達するように第３バックライト１０Ｃの配置位置が決定される。
【００７３】
以下、各バックライトのｚ方向の配置位置の決定方法について説明する。
【００７４】
第１バックライト１０Ａのｚ方向の配置位置の決定方法については、実施の形態１で説明した通りであり、式７を満たす位置に第１バックライト１０Ａが配置される。
【００７５】
また、第２バックライト１０Ｂの出射する光が、第１領域１６Ａ及び第２領域１６Ｂに到達するときの第２バックライト１０Ｂのｚ方向の配置位置についても、実施の形態１で説明したとおりである。つまり、式７を満たす位置に第２バックライト１０Ｂが配置される。
【００７６】
第２バックライト１０Ｂの出射する光が、第２領域１６Ｂ及び第３領域１６Ｃに到達するときの第２バックライト１０Ｂのｚ方向の配置位置については、第１バックライト１０Ａのｚ方向の配置位置と同様に計算される。つまり、式７を満たす位置に第２バックライト１０Ｂが配置される。
【００７７】
第３バックライト１０Ｃの出射する光が、第２領域１６Ｂ及び第３領域１６Ｃに到達するときの第３バックライト１０Ｃのｚ方向の配置位置については、第２バックライト１０Ｂの出射する光が、第１領域１６Ａ及び第２領域１６Ｂに到達するときの第２バックライト１０Ｂのｚ方向の配置位置と同様に計算される。つまり、式７を満たす位置に第３バックライト１０Ｃが配置される。
【００７８】
実施の形態１と異なる第２バックライト１０Ｂ及び第３バックライト１０Ｃの配置位置についてまとめると、第２バックライト１０Ｂは、さらに、第３方向（角θ２の方向）に直進する第２ピーク光、又は第４方向（角θ１の方向）に直進する第２ピーク光が第３領域１６Ｃに到達する位置に配置される。具体的には、第２バックライト１０Ｂは、第３方向に直進する第２ピーク光が、第３領域１６Ｃの第２領域１６Ｂから最も離れた端部（ｙ＝ｂの位置）に到達するときの第２バックライト１０Ｂの配置位置と、第４方向に直進する第２ピーク光が、第２領域１６Ｂと第３領域１６Ｃとの境界（ｙ＝ｂ＋（Ｈ／Ｎ）の位置）に到達するときの第２バックライト１０Ｂの配置位置との間の位置に配置される。
【００７９】
また、第３バックライト１０Ｃは、第３バックライト１０Ｃから出射する光のうち、光強度がピークとなる方向への直進光である第３ピーク光が第２領域１６Ｂに到達する位置に配置される。つまり、第３バックライト１０Ｃは、第３ピーク光が取り得る出射方向の範囲のうち、第３バックライト１０Ｃの光軸に最も近い出射方向である第５方向（角θ２の方向）に直進する第３ピーク光、又は第３バックライト１０Ｃの光軸から最も遠い出射方向である第６方向（角θ１の方向）に直進する第３ピーク光が第２領域１６Ｂに到達する位置に配置される。具体的には、第３バックライト１０Ｃは、第５方向に直進する第３ピーク光が、第２領域１６Ｂの第３領域１６Ｃから最も離れた端部（ｙ＝ｔ−（Ｈ／Ｎ）の位置）に到達するときの第３バックライト１０Ｃの配置位置と、第６方向に直進する第３ピーク光が、第２領域１６Ｂと第３領域１６Ｃとの境界（ｙ＝ｂ＋（Ｈ／Ｎ）の位置）に到達するときの第３バックライト１０Ｃの配置位置との間の位置に配置される。
【００８０】
図６は、実施の形態２に係る表示装置１の効果を説明するための図である。図６（ａ）、図６（ｂ）及び図６（ｃ）に示すように、複数のバックライトは、第１バックライト１０Ａ、第２バックライト１０Ｂ及び第３バックライト１０Ｃの順に点灯する。例えば、連続する時刻Ｔ１、Ｔ２及びＴ３に、それぞれ、第１バックライト１０Ａ、第２バックライト１０Ｂ及び第３バックライト１０Ｃが点灯する。図６（ｄ）は、第１領域１６Ａに到達する光の明るさを示すグラフであり、横軸が時間、縦軸が光の明るさを示している。図６（ｅ）は、第２領域１６Ｂに到達する光の明るさを示すグラフであり、横軸が時間、縦軸が光の明るさを示している。図６（ｆ）は、第３領域１６Ｃに到達する光の明るさを示すグラフであり、横軸が時間、縦軸が光の明るさを示している。なお、第１バックライト１０Ａの光は、第３領域１６Ｃにも若干到達する。これは、第１バックライト１０Ａのピーク光が第２領域１６Ｂと第３領域１６Ｃとの境界に到達するように第１バックライト１０Ａの配置位置を定めているためである。同様の理由により、第３バックライト１０Ｃの光は、第１領域１６Ａにも若干到達する。
【００８１】
図７は、各バックライトから出射する光が隣接する領域に到達しないとしたときの光の明るさの変化を示す図である。図７（ａ）、図７（ｂ）及び図７（ｃ）に示すように、複数のバックライトは、第１バックライト１０Ａ、第２バックライト１０Ｂ及び第３バックライト１０Ｃの順に点灯する。例えば、連続する時刻Ｔ１、Ｔ２及びＴ３に、それぞれ、第１バックライト１０Ａ、第２バックライト１０Ｂ及び第３バックライト１０Ｃが点灯する。図７（ｄ）は、第１領域１６Ａに到達する光の明るさを示すグラフであり、横軸が時間、縦軸が光の明るさを示している。図７（ｅ）は、第２領域１６Ｂに到達する光の明るさを示すグラフであり、横軸が時間、縦軸が光の明るさを示している。図７（ｆ）は、第３領域１６Ｃに到達する光の明るさを示すグラフであり、横軸が時間、縦軸が光の明るさを示している。図７（ｄ）のグラフから分かるように、第１領域１６Ａには、時刻Ｔ１のみ光が到達し、それ以外の時刻には光が到達していないことが分かる。図７（ｅ）及び図７（ｆ）のグラフから分かるように、第２領域１６Ｂ及び第３領域１６Ｃについても同様である。
【００８２】
これに対して、実施の形態２に係る表示装置１によると、図６（ｄ）のグラフから分かるように、第１領域１６Ａには、第１バックライト１０Ａが光っている時刻Ｔ１のみならず、時刻Ｔ２及び時刻Ｔ３においても光が到達していることが分かる。図６（ｅ）及び図６（ｆ）のグラフから分かるように、第２領域１６Ｂ及び第３領域１６Ｃについても同様である。このため、各バックライトが６０Ｈｚで間欠動作しているとすると、各領域にはその３倍の１８０Ｈｚの光が到達することになる。また、時間変化に対する明るさの変化もなだらかである。このため、フリッカーを低減することができる。
【００８３】
（変形例１）
実施の形態２では、３つのバックライトが等間隔に並べて配置されていることを示したが、バックライトの間隔は等間隔でなくても良い。
【００８４】
図８は、３つのバックライトが不均一な間隔で並べて配置された表示装置１の一例を示す図である。図８に示すように、第１バックライト１０Ａと第２バックライト１０Ｂとの距離をＬ１、第２バックライト１０Ｂと第３バックライト１０Ｃとの距離をＬ２とする。その他の条件は、実施の形態２と同じとする。
【００８５】
作図より、式８及び式９が成り立つ。
【００８６】
ｔａｎθ１＝Ｄ／（Ｌ１＋Ｌ２／２）    …（式８）
ｔａｎθ２＝Ｄ／（Ｌ１／２）    …（式９）
【００８７】
式８と式９を式２に代入すると、式１０が得られる。
【００８８】
Ｄ／（Ｌ１＋Ｌ２／２）＜ｔａｎθ＜Ｄ／（Ｌ１／２）    …（式１０）
【００８９】
式１０を変形すると、式１１が得られる。
【００９０】
（Ｌ１／２）ｔａｎθ＜Ｄ＜（Ｌ１＋Ｌ２／２）ｔａｎθ    …（式１１）
【００９１】
なお、式２の関係が成り立っているので、式１１の最左辺のｔａｎθをｔａｎθ１に置き換え、式１１の最右辺のｔａｎθをｔａｎθ２に置き換えたとしても、不等号の関係は維持される。つまり、以下の式１２が導き出される。
【００９２】
（Ｌ１／２）ｔａｎθ１＜Ｄ＜（Ｌ１＋Ｌ２／２）ｔａｎθ２  …（式１２）
【００９３】
式１２を満たす位置に第１バックライト１０Ａを配置することにより、第１バックライト１０Ａが照射する光が第１領域１６Ａ及び第２領域１６Ｂの双方に到達する。
【００９４】
なお、第２バックライト１０Ｂが照射する光が第１領域１６Ａ及び第２領域１６Ｂの双方に到達するときの第２バックライト１０Ｂのｚ方向の配置位置についても同様の計算式により算出できる。また、第２バックライト１０Ｂが照射する光が第２領域１６Ｂ及び第３領域１６Ｃの双方に到達するときの第２バックライト１０Ｂのｚ方向の配置位置についても同様の計算式により算出できる。さらに、第３バックライト１０Ｃが照射する光が第２領域１６Ｂ及び第３領域１６Ｃの双方に到達するときの第３バックライト１０Ｃのｚ方向の配置位置についても同様の計算式により算出できる。
【００９５】
図９は、算出された各バックライトのｚ方向の配置位置の一例を模式的に示す図である。
【００９６】
図９（ａ）は、第１バックライト１０Ａが照射する光が第１領域１６Ａ及び第２領域１６Ｂの双方に到達するときの第１バックライト１０Ａのｚ方向の配置位置の一例を示す図である。第１バックライト１０Ａは、例えば、位置９１から位置９２の間に配置される。
【００９７】
図９（ｂ）は、第２バックライト１０Ｂが照射する光が第１領域１６Ａ及び第２領域１６Ｂの双方に到達するときの第２バックライト１０Ｂのｚ方向の配置位置の一例を示す図である。第２バックライト１０Ｂは、例えば、位置９３から位置９４の間に配置される。
【００９８】
図９（ｃ）は、第２バックライト１０Ｂが照射する光が第２領域１６Ｂ及び第３領域１６Ｃの双方に到達するときの第２バックライト１０Ｂのｚ方向の配置位置の一例を示す図である。第２バックライト１０Ｂは、例えば、位置９５から位置９６の間に配置される。
【００９９】
図９（ｄ）は、第３バックライト１０Ｃが照射する光が第２領域１６Ｂ及び第３領域１６Ｃの双方に到達するときの第３バックライト１０Ｃのｚ方向の配置位置の一例を示す図である。第３バックライト１０Ｃは、例えば、位置９７から位置９８の間に配置される。
【０１００】
図９（ａ）〜図９（ｄ）に示すように、各バックライトの配置位置が互いに異なる場合には、図９（ｅ）に示すように、図９（ａ）〜図９（ｄ）の全ての条件を満たす位置に全てのバックライトが配置される。つまり、位置９１、位置９３、位置９５及び位置９７のうち、最も液晶パネル２に近い側の位置９９と、位置９２、位置９４、位置９６及び位置９８のうち、最も液晶パネル２から遠い側の位置１００との間に、全てのバックライトを配置するようにしても良い。これにより、全てのバックライトのｚ方向の位置を揃えることができる。
【０１０１】
（変形例２）
実施の形態１では、各バックライトに配列される複数のＬＥＤ１２は、ｘ方向に一列に配列されるものとしたが、列数は必ずしも一列に限られるものではない。
【０１０２】
図１０は、表示装置１の内部を模式的に示した図である。表示装置１は、ｙ方向に配列された、第１バックライト１０Ａ及び第２バックライト１０Ｂを含む。
【０１０３】
第１バックライト１０Ａは、ｙ方向に配列された第１ＬＥＤ群４０Ａ及び第２ＬＥＤ群４０Ｂを含む。
【０１０４】
第１ＬＥＤ群４０Ａ及び第２ＬＥＤ群４０Ｂの各々は、ｘ方向に配列された少なくとも１つのＬＥＤを含む。例えば、第１ＬＥＤ群４０Ａは、ｘ方向に配列されたＬＥＤ４１〜４５を含み、第２ＬＥＤ群４０Ｂは、ｘ方向に配列されたＬＥＤ４６〜５０を含む。
【０１０５】
第１バックライト１０Ａは、第１バックライト１０Ａに含まれる第１ＬＥＤ群４０Ａ及び第２ＬＥＤ群４０Ｂのｙ方向の中間位置（補助線６０Ａ上の位置）に第１ＬＥＤが配置されていると仮定したときに、第１ＬＥＤから出射する光が第１領域１６Ａ及び第２領域１６Ｂに到達するｚ方向の位置に配置される。中間位置とは、第１ＬＥＤ群４０Ａと第２ＬＥＤ群４０Ｂとのｙ方向の距離を二分する位置であっても良いし、それ以外の位置であっても良い。
【０１０６】
なお、第２バックライト１０Ｂについても第１バックライト１０Ａと同様の構成を有する。つまり、第２バックライト１０Ｂは、第２バックライト１０Ｂに含まれる第１ＬＥＤ群４０Ａ及び第２ＬＥＤ群４０Ｂのｙ方向の中間位置（補助線６０Ｂ上の位置）に第２ＬＥＤが配置されていると仮定したときに、第２ＬＥＤから出射する光が第１領域１６Ａ及び第２領域１６Ｂに到達するｚ方向の位置に配置される。
【０１０７】
なお、本変形例は、実施の形態２に適用することも可能である。つまり、第３バックライト１０Ｃが、図１０に示した第１バックライト１０Ａ（又は第２バックライト１０Ｂ）と同様の構成を有していても良い。その場合にも、第１バックライト１０Ａと同様に、第３バックライト１０Ｃのｚ方向の位置を計算することができる。
【０１０８】
以上、本発明の実施の形態に係る表示装置について説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【０１０９】
例えば、バックライトの数は、４つ以上であってもよい。
【産業上の利用可能性】
【０１１０】
本発明は、表示装置として、液晶パネルを備える液晶表示装置などに適用できる。
【符号の説明】
【０１１１】
１  表示装置
２  液晶パネル
１０Ａ  第１バックライト
１０Ｂ  第２バックライト
１０Ｃ  第３バックライト
１１  基板
１２  ＬＥＤ
１３  レンズ
１４  拡散シート
１５  駆動部
１６Ａ  第１領域
１６Ｂ  第２領域
１６Ｃ  第３領域
３１、３２、９１〜１００  位置
【図１】
2014207142.tif 000003
【図２】
2014207142.tif 000004
【図３】
2014207142.tif 000005
【図４】
2014207142.tif 000006
【図５】
2014207142.tif 000007
【図６】
2014207142.tif 000008
【図７】
2014207142.tif 000009
【図８】
2014207142.tif 000010
【図９】
2014207142.tif 000011
【図１０】
2014207142.tif 000012